(57)【特許請求の範囲】
【請求項１】
少なくとも残存歯が存在する口腔内に適用するために作製しようとする歯牙補綴物における歯牙の色調に合った好適な色調の歯牙材料の選択を支援するためにコンピュータを、
歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルを予め記憶しておく歯牙基準色データ記憶手段、
作製しようとする歯牙補綴物の歯牙又は隣在歯と、少なくとも１つの歯牙基準色の色調を有する基準具とが同時に撮影されている画像データを入力する画像データ入力手段、
該画像データ入力手段により入力される画像データにおける基準具の歯牙基準色の識別情報データを入力する識別情報データ入力手段、
該画像データ入力手段により入力された画像データ内の作製しようとする歯牙補綴物の歯牙又は隣在歯の色調を分析し色調情報データとしてＬ＊ａ＊ｂ＊表色系により数値化する画像歯牙データ分析手段、
該画像データ入力手段により入力された画像データ内の基準具の色調を分析し色調情報データとしてＬ＊ａ＊ｂ＊表色系により数値化する画像基準具データ分析手段、
前記歯牙基準色データ記憶手段に記憶されたデータテーブルから該識別情報データ入力手段により入力された基準具の歯牙基準色の識別情報データと一致する識別情報データを有する歯牙基準色の色調情報データを抽出する基準具歯牙基準色データ抽出手段、
該画像基準具データ分析手段により数値化された基準具の色調の色調情報データと、該基準具歯牙基準色データ抽出手段により抽出された歯牙基準色の色調情報データとを略一致させるための色調補正値として両色調情報データのＬ＊値，ａ＊値，ｂ＊値同士の差を表すδＬ＊値，δａ＊値，δｂ＊値を算出する補正値算出手段、
該補正値算出手段により算出された色調補正値であるδＬ＊値，δａ＊値，δｂ＊値を該画像歯牙データ分析手段により数値化された作製しようとする歯牙補綴物の歯牙又は隣在歯の色調の色調情報データであるＬ＊値，ａ＊値，ｂ＊値から減算して補正する歯牙色調データ補正手段、
該歯牙色調データ補正手段により補正された作製しようとする歯牙補綴物の歯牙又は隣在歯の色調の色調情報データのＬ＊値，ａ＊値，ｂ＊値を基に、該歯牙基準色データ記憶手段に記憶されたデータテーブル内の総ての歯牙基準色の色調情報データのそれぞれのＬ＊値，ａ＊値，ｂ＊値の数値について、該補正された作製しようとする歯牙補綴物の歯牙又は隣在歯の色調の色調情報データのＬ＊値，ａ＊値，ｂ＊値との差を表すそれぞれのΔＬ＊値，Δａ＊値，Δｂ＊値を算出して下記の数式１に代入し、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出することにより、データテーブルから該補正された作製しようとする歯牙補綴物の歯牙又は隣在歯の色調の色調情報データと一致又は近似した色調情報データを有する少なくとも１つの歯牙基準色の識別情報データを抽出する歯牙色調基準色データ抽出手段、
該歯牙色調基準色データ抽出手段により抽出され補正された作製しようとする歯牙補綴物の歯牙又は隣在歯の色調と一致又は近似した歯牙基準色の識別情報データを出力する歯牙基準色識別情報データ出力手段、
として機能させるための歯牙材料色調選択支援プログラム。
【数１】
0003710802.tif 000008
【請求項２】
識別情報データ入力手段に、画像データ入力手段により入力される画像データ内の基準具の少なくとも１つの歯牙基準色の識別情報データが予め入力されている請求項１に記載の歯牙材料色調選択支援プログラム。
【請求項３】
コンピュータを更に、補正値算出手段により算出された色調補正値に基づいて画像データ入力手段により入力された画像データ全体の色調を補正する画像データ補正手段、
該画像データ補正手段により補正された画像データを出力する補正画像データ出力手段、
として機能させる請求項１又は２に記載の歯牙材料色調選択支援プログラム。
【請求項４】
歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルが予め記憶されたコンピュータに、作製しようとする歯牙補綴物の歯牙又は隣在歯と少なくとも１つの歯牙基準色の色調を有する基準具とが同時に撮影されている画像データを入力すると共に、画像データに撮影された基準具の歯牙基準色の識別情報データを入力し、入力された画像データ内の作製しようとする歯牙補綴物の歯牙又は隣在歯の色調と基準具の色調とをそれぞれ分析して色調情報データとしてＬ＊ａ＊ｂ＊表色系により数値化させ、前記データテーブルから入力された基準具の歯牙基準色の識別情報データと一致した識別情報データを有する歯牙基準色の色調情報データを抽出させ、基準具における歯牙基準色の色調情報データと抽出された歯牙基準色の色調情報データとを略一致させるための色調補正値として両色調情報データのＬ＊値，ａ＊値，ｂ＊値同士の差を表すδＬ＊値，δａ＊値，δｂ＊値を算出させた後、算出された色調補正値に基づいて作製しようとする歯牙補綴物の歯牙又は隣在歯の色調の色調情報データを前記δＬ＊値，δａ＊値，δｂ＊値を減算することにより補正させ、しかる後に補正された作製しようとする歯牙補綴物の歯牙又は隣在歯の色調の色調情報データのＬ＊値，ａ＊値，ｂ＊値を基に、前記データテーブル内の総ての歯牙基準色の色調情報データのそれぞれのＬ＊値，ａ＊値，ｂ＊値の数値について、補正された作製しようとする歯牙補綴物の歯牙又は隣在歯の色調の色調情報データのＬ＊値，ａ＊値，ｂ＊値との差を表すそれぞれのΔＬ＊値，Δａ＊値，Δｂ＊値を算出して下記の数式２に代入し、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出することにより、前記データテーブルから補正された作製しようとする歯牙補綴物の歯牙又は隣在歯の色調の色調情報データと一致又は近似した色調情報データの数値を有する少なくとも１つの歯牙基準色の識別情報データを抽出させ、その抽出された歯牙基準色の識別情報データを出力させることを特徴とする歯牙材料色調選択支援方法。
【数２】
0003710802.tif 000009
【発明の詳細な説明】
【技術分野】
【０００１】
本発明は、少なくとも残存歯が存在する口腔内に適用するために作製しようとするインレーやクラウン等の歯牙補綴物における歯牙の色調に合った好適な色調の歯科用レジンや歯科用ポーセレン等の歯牙材料の選択を支援するために使用される歯牙材料色調選択支援プログラム及び歯牙材料色調選択支援方法であって、特に高価な専用機や周辺機器等を必要とせず一般に市販されているコンピュータやデジタルカメラ等を用いることができると共に、高度な情報処理に関する知識を必要とせず誰でも簡単に使用することができる歯牙材料色調選択支援プログラム及び歯牙材料色調選択支援方法に関するものである。
【背景技術】
【０００２】
一般に、インレーやクラウン等の歯牙補綴物を作製する際に使用される歯科用レジンや歯科用ポーセレン等の歯牙材料は、作製しようとする歯牙補綴物の歯牙又は隣在歯（作製しようとする歯牙補綴物がインレー等である場合には窩洞が存在する歯牙、作製しようとする歯牙補綴物がクラウンやブリッジ等である場合には隣在歯）と作製される歯牙補綴物との色調の違いによって、歯牙補綴物が不自然となってしまうことがないように、その歯牙材料の種類によってまちまちであるが、通常は同じ種類の歯牙材料について数色から数十色の色調の異なった歯牙材料が予め用意されている。
【０００３】
そして、歯牙補綴物を作製する専門家である歯科技工士に歯牙補綴物の作製を依頼する歯科医は、これらの数多くの色調の異なった歯牙材料の中から、歯牙補綴物の作製対象の歯牙の色調と最も調和の取れた色調の歯牙材料を選択決定するために、数多くの色調の異なった歯牙材料の色見本等と作製しようとする歯牙補綴物の歯牙又は隣在歯とを見比べることにより、歯牙材料の色調を選択決定する作業を行わなければならないが、実際には歯牙の色調は人により千差万別であり、また同一人の歯牙であってもその個々の歯牙の色調は一定でないので、歯牙補綴物の作製対象の歯牙の色調と最も調和の取れた色調の歯牙材料を選択決定する作業は非常に難しい作業であった。
【０００４】
従って、このような歯牙材料の色調を選択決定する作業をより正確に行おうとすると、この歯牙材料の色調を選択決定する作業は歯牙補綴物の作製者である歯科技工士に委ねられることになり、この場合には歯科技工士が臨床に立ち会って歯牙材料の色調を選択決定する作業を行う方法や、歯科医が作製しようとする歯牙補綴物の歯牙又は隣在歯を銀塩カメラやデジタルカメラ等で撮影した後にその写真や画像データの記憶された媒体を郵送したり、画像データを電気通信回線を通じて送信したりすることによって、その写真や画像データを歯科技工士に送り、その写真や画像データを見て歯科技工士が歯牙材料の色調を選択決定する作業を行う方法があった。
【０００５】
しかしながら、歯科技工士が臨床に立ち会う方法では、歯科技工士がわざわざ歯科医院に出向かなくてはならないので非常に効率が悪く、また歯科技工士が写真や画像データを見る方法では、歯科医が撮影する際に使用した機器やフイルム等の特性、撮影時の光源，露出や角度、現像時の機器や紙、画像データの場合では表示するディスプレーやビデオカードの特性、更には歯科医の撮影技量等の様々な要因によって、写真や画像データに撮影された作製しようとする歯牙補綴物の歯牙又は隣在歯と実際の作製しようとする歯牙補綴物の歯牙又は隣在歯との色調が異なってしまい、写真や画像データでは実際の作製しようとする歯牙補綴物の歯牙又は隣在歯の色調を正確に再現することが困難であるので、そのような実際の色調と異った写真や画像データを見て歯科技工士が歯牙材料の色調を選択決定しても、歯牙補綴物の作製対象の歯牙の色調に合った好適な色調の歯牙補綴物を作製することができないという欠点があった。
【０００６】
そこで、欠損歯を有する時の歯列をスチルビデオカメラ又はＣＣＤカメラで撮影して得た映像を入力して記憶し、該映像の非欠損歯側の映像の色調をデジタル解析して記憶し、その色調デジタル信号と予め記憶している上記欠損歯を作製する物質の色調調整剤の個別色調をデジタル解析して得た色調デジタル信号テーブルとを基に、上記欠損歯を作製する物質の色調調整剤の混合割合を演算算出すると共に記憶する装置（例えば、特許文献１参照。）が提案されている。
【０００７】
しかしながら、前記したように様々な要因により写真や画像データでは実際の作製しようとする歯牙補綴物の歯牙又は隣在歯の色調を正確に再現することが困難であることから、このような装置の場合においても歯列をカメラ等で撮影して得た非欠損歯側の映像と、実際の非欠損歯側とではその色調が異なってしまうことになってしまうので、結局この装置で非欠損歯側の映像の色調をデジタル解析して得た結果は、実際の非欠損歯側の色調をデジタル解析して得られる結果とは異なってしまうという欠点があった。
【０００８】
そこで、歯牙等の被写体の正確な色調を表示装置に再現する手段として、被写体と表示装置に表示された映像の両方の色情報を測定できる色調測定手段と、その色情報が一致するように表示内容の色調を補正制御する色調補正制御手段からなる装置（例えば、特許文献２参照。）が提案されている。
【０００９】
しかしながら、このような装置では患者を被写体として撮影する歯科治療医院側及びその色調を補正された映像が表示される表示装置を見る歯科技工士側にそれぞれ色情報を測定するための専用の色調測定装置を置く必要があり、しかも患者を被写体として撮影する歯科治療医院と歯科技工士とが離れた場所に位置している場合には、それぞれの場所に専用の色調補正制御装置を置かなくてはならないので、膨大な費用がかかってしまうという欠点があり、また専用の色調測定装置や色調補正制御装置等の特殊な装置が使用されるので、高度な情報処理に関する知識が必要になるという欠点もあり、また患者を被写体として撮影する歯科治療医院では、色調測定装置で被写体及び表示装置を測定し、その測定した値によって色調補正制御装置が色調の補正値を算出し、また補正値に基づいて表示装置に表示される映像を真の色調に変換再生して表示して、更に歯科技工士がその変換再生された映像を見て歯牙材料の色調を選択決定するまで、患者は専用の色調測定装置を歯牙にあてがった状態で口腔内が見えるように口腔を大きく開けた状態に維持しなければならないので、大きな精神的肉体的な負担を強いられるという欠点もあり、更に最終的には歯科技工士がその変換再生された映像を見て歯牙材料の色調を選択決定するものであるので、歯科技工士の技量が未熟である場合には、作製しようとする歯牙補綴物の歯牙又は隣在歯の色調と最も調和の取れた色調の歯牙材料を選択決定することができない危険性もあるという欠点もあった。
【００１０】
【特許文献１】特開平４-３３８４６５号公報
【特許文献２】特開平８-２２９０５７号公報
【発明の開示】
【発明が解決しようとする課題】
【００１１】
本発明は、前記従来技術の欠点を解消し、少なくとも残存歯が存在する口腔内に適用するために作製しようとするインレーやクラウン等の歯牙補綴物における歯牙の色調に合った好適な色調の歯科用レジンや歯科用ポーセレン等の歯牙材料の選択を支援するために使用される歯牙材料色調選択支援プログラム及び歯牙材料色調選択支援方法であって、特に高価な専用機や周辺機器等を必要とせず一般に市販されているコンピュータやデジタルカメラ等を用いることができると共に、高度な情報処理に関する知識を必要とせず誰でも簡単に使用することができる歯牙材料色調選択支援プログラム及び歯牙材料色調選択支援方法を提供することを課題とする。
【課題を解決するための手段】
【００１２】
本発明者らは前記課題を解決すべく鋭意研究の結果、コンピュータに、予め歯牙材料の色調の基準となる複数の歯牙基準色をそれぞれ識別するために割り当てられる識別情報データとその歯牙基準色の色調をＬ＊ａ＊ｂ＊表色系により数値化した色調情報データとが対応させられているデータテーブルを予め記憶させておくと共に、作製しようとする歯牙補綴物の歯牙又は隣在歯と少なくとも１つの歯牙基準色の色調を有する基準具とを同時に撮影した画像データを入力し、その画像データ内の基準具の色調の色調情報データと基準具の歯牙基準色と一致した識別情報データを有するデータテーブルの歯牙基準色の色調情報データとを略一致させるための色調補正値を算出し、この色調補正値に基づいて作製しようとする歯牙補綴物の歯牙又は隣在歯の色調を補正し、データテーブルから補正された作製しようとする歯牙補綴物の歯牙又は隣在歯の色調の色調情報データと一致又は近似した色調情報データを有する少なくとも１つの歯牙基準色の識別情報データを抽出し、その抽出された歯牙基準色の識別情報データを出力すれば、特に高価な専用機や周辺機器等を必要とせず、一般に市販されているコンピュータやデジタルカメラ等を用いて、また高度な情報処理に関する知識を必要とせず誰でも簡単に作製しようとする歯牙補綴物の歯牙又は隣在歯の色調に合った好適な色調の歯牙材料の選択を支援するプログラム及び方法を得ることができることを究明して本発明を完成したのである。
【００１３】
即ち本発明の一つは、少なくとも残存歯が存在する口腔内に適用するために作製しようとする歯牙補綴物における歯牙の色調に合った好適な色調の歯牙材料の選択を支援するためにコンピュータを、
歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルを予め記憶しておく歯牙基準色データ記憶手段、
作製しようとする歯牙補綴物の歯牙又は隣在歯と、少なくとも１つの歯牙基準色の色調を有する基準具とが同時に撮影されている画像データを入力する画像データ入力手段、
該画像データ入力手段により入力される画像データにおける基準具の歯牙基準色の識別情報データを入力する識別情報データ入力手段、
該画像データ入力手段により入力された画像データ内の作製しようとする歯牙補綴物の歯牙又は隣在歯の色調を分析し色調情報データとしてＬ＊ａ＊ｂ＊表色系により数値化する画像歯牙データ分析手段、
該画像データ入力手段により入力された画像データ内の基準具の色調を分析し色調情報データとしてＬ＊ａ＊ｂ＊表色系により数値化する画像基準具データ分析手段、
前記歯牙基準色データ記憶手段に記憶されたデータテーブルから該識別情報データ入力手段により入力された基準具の歯牙基準色の識別情報データと一致する識別情報データを有する歯牙基準色の色調情報データを抽出する基準具歯牙基準色データ抽出手段、
該画像基準具データ分析手段により数値化された基準具の色調の色調情報データと、該基準具歯牙基準色データ抽出手段により抽出された歯牙基準色の色調情報データとを略一致させるための色調補正値として両色調情報データのＬ＊値，ａ＊値，ｂ＊値同士の差を表すδＬ＊値，δａ＊値，δｂ＊値を算出する補正値算出手段、
該補正値算出手段により算出された色調補正値であるδＬ＊値，δａ＊値，δｂ＊値を該画像歯牙データ分析手段により数値化された作製しようとする歯牙補綴物の歯牙又は隣在歯の色調の色調情報データであるＬ＊値，ａ＊値，ｂ＊値から減算して補正する歯牙色調データ補正手段、
該歯牙色調データ補正手段により補正された作製しようとする歯牙補綴物の歯牙又は隣在歯の色調の色調情報データのＬ＊値，ａ＊値，ｂ＊値を基に、該歯牙基準色データ記憶手段に記憶されたデータテーブル内の総ての歯牙基準色の色調情報データのそれぞれのＬ＊値，ａ＊値，ｂ＊値の数値について、該補正された作製しようとする歯牙補綴物の歯牙又は隣在歯の色調の色調情報データのＬ＊値，ａ＊値，ｂ＊値との差を表すそれぞれのΔＬ＊値，Δａ＊値，Δｂ＊値を算出して下記の数式１に代入し、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出することにより、データテーブルから該補正された作製しようとする歯牙補綴物の歯牙又は隣在歯の色調の色調情報データと一致又は近似した色調情報データを有する少なくとも１つの歯牙基準色の識別情報データを抽出する歯牙色調基準色データ抽出手段、
該歯牙色調基準色データ抽出手段により抽出され補正された作製しようとする歯牙補綴物の歯牙又は隣在歯の色調と一致又は近似した歯牙基準色の識別情報データを出力する歯牙基準色識別情報データ出力手段、
として機能させるための歯牙材料色調選択支援プログラムである。
【数１】
0003710802.tif 000002
【００１４】
また本発明の他の一つは、歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルが予め記憶されたコンピュータに、作製しようとする歯牙補綴物の歯牙又は隣在歯と少なくとも１つの歯牙基準色の色調を有する基準具とが同時に撮影されている画像データを入力すると共に、画像データに撮影された基準具の歯牙基準色の識別情報データを入力し、入力された画像データ内の作製しようとする歯牙補綴物の歯牙又は隣在歯の色調と基準具の色調とをそれぞれ分析して色調情報データとしてＬ＊ａ＊ｂ＊表色系により数値化させ、前記データテーブルから入力された基準具の歯牙基準色の識別情報データと一致した識別情報データを有する歯牙基準色の色調情報データを抽出させ、基準具における歯牙基準色の色調情報データと抽出された歯牙基準色の色調情報データとを略一致させるための色調補正値として両色調情報データのＬ＊値，ａ＊値，ｂ＊値同士の差を表すδＬ＊値，δａ＊値，δｂ＊値を算出させた後、算出された色調補正値に基づいて作製しようとする歯牙補綴物の歯牙又は隣在歯の色調の色調情報データを前記δＬ＊値，δａ＊値，δｂ＊値を減算することにより補正させ、しかる後に補正された作製しようとする歯牙補綴物の歯牙又は隣在歯の色調の色調情報データのＬ＊値，ａ＊値，ｂ＊値を基に、前記データテーブル内の総ての歯牙基準色の色調情報データのそれぞれのＬ＊値，ａ＊値，ｂ＊値の数値について、補正された作製しようとする歯牙補綴物の歯牙又は隣在歯の色調の色調情報データのＬ＊値，ａ＊値，ｂ＊値との差を表すそれぞれのΔＬ＊値，Δａ＊値，Δｂ＊値を算出して下記の数式２に代入し、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出することにより、前記データテーブルから補正された作製しようとする歯牙補綴物の歯牙又は隣在歯の色調の色調情報データと一致又は近似した色調情報データの数値を有する少なくとも１つの歯牙基準色の識別情報データを抽出させ、その抽出された歯牙基準色の識別情報データを出力させることを特徴とする歯牙材料色調選択支援方法である。
【数２】
0003710802.tif 000003
【００１５】
また、前記歯牙材料色調選択支援プログラムにおいて、識別情報データ入力手段に、画像データ入力手段により入力される画像データ内の基準具の少なくとも１つの歯牙基準色の識別情報データが予め入力されていれば、画像データに撮影される基準具の歯牙基準色の識別情報データを識別情報データ入力手段にその都度入力する必要がないので好ましいことも究明したのである。
【００１６】
更に、前記歯牙材料色調選択支援プログラムにおいて、コンピュータを更に、補正値算出手段により算出された色調補正値に基づいて画像データ入力手段により入力された画像データ全体の色調を補正する画像データ補正手段、
該画像データ補正手段により補正された画像データを出力する補正画像データ出力手段、
として機能させれば、色調補正値に基づいて補正された画像データを得ることができて好ましいことも究明したのである。
【発明の効果】
【００１７】
本発明に係る歯牙材料色調選択支援プログラム及び歯牙材料色調選択支援方法は、前記した構成より成るものであるから、特に高価な専用機や周辺機器等を必要とせず、一般に市販されているコンピュータやデジタルカメラ等を用いて、また高度な情報処理に関する知識を必要とせず誰でも簡単に作製しようとする歯牙補綴物の歯牙又は隣在歯の色調に合った好適な色調の歯牙材料の選択を支援することができるばかりでなく、作製しようとする歯牙補綴物の歯牙又は隣在歯と少なくとも１つの歯牙基準色の色調を有する基準具とが同時に撮影されている画像データの歯牙基準色のＬ＊ａ＊ｂ＊表色系による色調情報データと予め記憶されたデータテーブルのＬ＊ａ＊ｂ＊表色系による色調情報データとに基づいて色調補正値として両色調情報データのＬ＊値，ａ＊値，ｂ＊値同士の差を表すδＬ＊値，δａ＊値，δｂ＊値を算出するものであるので、歯科医が撮影する際に使用した機器やフイルム等の特性、撮影時の光源，露出や角度、現像時の機器や紙、画像データの場合では表示するディスプレーやビデオカードの特性、更には歯科医の撮影技量等の様々な要因に左右されることなく、実際の作製しようとする歯牙補綴物の歯牙又は隣在歯の色調情報データを正確に算出することができる。
【００１８】
そして、算出された色調補正値に基づいて作製しようとする歯牙補綴物の歯牙又は隣在歯の色調の色調情報データを前記δＬ＊値，δａ＊値，δｂ＊値を減算することにより補正された作製しようとする歯牙補綴物の歯牙又は隣在歯の色調の色調情報データのＬ＊値，ａ＊値，ｂ＊値を基に、データテーブル内の総ての歯牙基準色の色調情報データのそれぞれのＬ＊値，ａ＊値，ｂ＊値の数値について、補正された作製しようとする歯牙補綴物の歯牙又は隣在歯の色調の色調情報データのＬ＊値，ａ＊値，ｂ＊値との差を表すそれぞれのΔＬ＊値，Δａ＊値，Δｂ＊値を算出して下記の数式３に代入し、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出することにより、作製しようとする歯牙補綴物の歯牙又は隣在歯の色調の色調情報データの補正後の数値と一致又は近似した色調情報データの数値を有する少なくとも１つの歯牙基準色を抽出し、その抽出された歯牙基準色の識別情報データを出力するものであるので、歯科医師や歯科技工士の技量に左右されることなく、誰でもが簡単に作製しようとする歯牙補綴物の歯牙又は隣在歯の色調と最も調和の取れた色調の歯牙材料を選択決定することができる。
【数３】
0003710802.tif 000004
【００１９】
更に、単に作製しようとする歯牙補綴物の歯牙又は隣在歯と少なくとも１つの歯牙基準色の色調を有する基準具とが同時に撮影されている画像データを使用するものであるから、被写体である患者は、一度だけデジタルカメラ等で作製しようとする歯牙補綴物の歯牙又は隣在歯とその近傍に基準具とが見える状態にして撮影されるのみでよいので、患者の負担が格段に軽減されているにも拘わらず、患者は最も好適な色調の歯牙補綴物を得ることができる。
【００２０】
更に、前記した構成の歯牙材料色調選択支援プログラムにおいて、識別情報データ入力手段に、画像データ入力手段により入力される画像データ内の基準具の少なくとも１つの歯牙基準色の識別情報データが予め入力されていれば、画像データに撮影される基準具の歯牙基準色の識別情報データを識別情報データ入力手段にその都度入力する手間が省けるばかりでなく、基準具の色調の識別情報データの入力ミスにより誤った色調の歯牙補綴物を作製してしまうことがないと共に、いつも同じ基準具を使用することができて好ましい。
【００２１】
更に、前記した構成の歯牙材料色調選択支援プログラムにおいて、コンピュータを更に、補正値算出手段により算出された色調補正値に基づいて画像データ入力手段により入力された画像データ全体の色調を補正する画像データ補正手段、
該画像データ補正手段により補正された画像データを出力する補正画像データ出力手段、
として機能させれば、色調補正値に基づいて補正された画像データを得ることができるばかりでなく、正確に再現された画像データを歯科技工士が目視によって確認できるので、好適な色調の歯牙材料の選択決定のミスを殆ど防ぐことができて好ましい。
【発明を実施するための最良の形態】
【００２２】
以下、図面により本発明に係る歯牙材料色調選択支援プログラム及び歯牙材料色調選択支援方法について詳細に説明する。
図１は本発明に係る歯牙材料色調選択支援プログラムの構成の１の実施例を示すブロック図、図２は本発明に係る歯牙材料色調選択支援プログラムの１の実施例の動作概要を示すフローチャート、図３は本発明に使用される画像データの１例を示す説明図、図４は本発明における基準具の歯牙基準色の設定入力画面の１例を示す説明図、図５は本発明における作製しようとする歯牙補綴物の歯牙又は隣在歯及び基準具の歯牙基準色の領域選択設定画面の１例を示す説明図、図６は本発明における作製しようとする歯牙補綴物の歯牙又は隣在歯の色調と一致又は近似した歯牙基準色の識別情報データを出力する結果表示画面の１例を示す説明図である。
【００２３】
本発明に係る歯牙材料色調選択支援プログラムは、少なくとも残存歯（天然歯はもちろん人工歯等でもよい。）が存在する口腔内に適用するために作製しようとする歯牙補綴物における歯牙の色調に合った好適な色調の歯牙材料の選択を支援するためにコンピュータを機能させるものであり、詳しくは図１に示す如くキーボードやスキャナ等から構成されたコンピュータの入力部を画像データ入力手段及び識別情報データ入力手段として、ハードディスクドライブやＣＤ−ＲＯＭドライブ等から構成されたコンピュータの記憶部を歯牙基準色データ記憶手段として、ＣＰＵやメインメモリ等から構成されたコンピュータの演算処理部を画像歯牙データ分析手段，画像基準具データ分析手段，基準具歯牙基準色データ抽出手段，補正値算出手段，歯牙色調データ補正手段，歯牙色調基準色データ抽出手段及び画像データ補正手段として、またディスプレーやプリンタ等から構成されたコンピュータの出力部を歯牙基準色識別情報データ出力手段及び補正画像データ出力手段として機能させるものである。
【００２４】
歯牙基準色データ記憶手段は、歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルを予め記憶しておくものであり、基準具歯牙基準色データ抽出手段や歯牙色調基準色データ抽出手段からのデータの照合に対してデータを提供する役目を果たすものである。
【００２５】
この歯牙基準色データ記憶手段に予め記憶されているデータテーブルは、複数の歯牙基準色をそれぞれ識別するために割り当てられた識別情報データと、その識別情報データに対応した歯牙基準色の色調を数値化した色調情報データとで構成されており、この識別情報データとしては、例えば「White」，「Colonial Yellow」等の如く歯牙基準色の色調の名称を直接表現したようなものであってもよく、また「0M1」，「A3」，「1R2.5」等の如く任意に割り当てられた英数字等で表現されているものであってもよい。
【００２６】
また、色調情報データは、数値や座標として示すことが可能であるコンピュータの演算処理に適した国際照明委員会（ＣＩＥ）が標準化したカラーモデルであるＬ＊ａ＊ｂ＊表色系に基づくものであるので、ディスプレーやビデオカード等の機器の特性に依存することなく、色調を数値化できるのである。即ち、このＬ＊ａ＊ｂ＊表色系では、色調を明度（明るさ）を示すＬ＊，色相（赤と緑の度合い）を示すａ＊，彩度（黄と青の度合い）を示すｂ＊という３つの要素に解析し、そしてＬ＊値，ａ＊値，ｂ＊値という３つの数値で色調を表現するものであり、このＬ＊ａ＊ｂ＊表色系によって２つの色調の違いのズレ量を表現する場合には、この３つの要素であるＬ＊，ａ＊，ｂ＊という３軸より成る座標に、それぞれの色調のＬ＊値，ａ＊値，ｂ＊値を座標上の点として表わし、この２点間の座標上の直線距離を２つの色調の違いのズレ量とみなして、このズレ量をΔＥという値で表現するものであり、この２つの色調の違いのズレ量を表すΔＥがゼロである場合には、２つの色調は全く同一であることになり、このΔＥの値が大きくなればなる程、２つの色調の違いが大きいことになる。このようにＬ＊ａ＊ｂ＊表色系では、色調の違いのズレ量をΔＥという数値で比較することができるのである。
【００２７】
そして、色調情報データを算出する際には、それぞれの歯牙基準色にＪＩＳＺ８７１６に規定されている標準光Ｄ６５を照射しその色調を計測して色調情報データの数値を算出すれば、歯牙基準色の色調の正確な色調情報データの数値を得ることができるので好ましい。
【００２８】
画像データ入力手段は、作製しようとする歯牙補綴物の歯牙又は隣在歯Ｓと、少なくとも１つの歯牙基準色の色調を有する基準具Ｋとが同時に撮影されている画像データを入力するものであり、コンピュータの演算処理部で行われる画像歯牙データ分析手段や画像基準具データ分析手段等の一連の演算処理の起点となると共に、歯牙色調基準色データ抽出手段において最終的に出力される作製しようとする歯牙補綴物の歯牙又は隣在歯Ｓの色調と一致又は近似した歯牙基準色の識別情報データを得るために作製しようとする歯牙補綴物の歯牙又は隣在歯Ｓが撮影された画像データをコンピュータに入力する役目を果たす。
【００２９】
この画像データ入力手段としては、例えばＵＳＢやＩＥＥＥ１３９４等のインターフェイスを用いてデジタルカメラとコンピュータとをケーブルで繋いでデジタルカメラ内のメモリ等に記憶された画像データを転送してコンピュータに入力したり、画像データが記憶されたデジタルカメラ内のメモリカード等をデジタルカメラから脱着してそのメモリカード等をコンピュータのインターフェイスに差し込んで画像データを転送してコンピュータに入力したり、他のコンピュータ内に記憶された画像データのファイルをＬＡＮやインターネットのメールを用いて転送してコンピュータに入力したり、または銀塩カメラで撮影された写真をコンピュータに接続されたスキャナで読み込んで画像データに変換してその画像データをコンピュータに入力したりする様々な手段が存在するが、画像データをコンピュータに読み込んで入力することができる手段であれば特に限定されない。
【００３０】
この画像データ入力手段によって入力される画像データは、図３に示すように作製しようとする歯牙補綴物の歯牙又は隣在歯Ｓと、少なくとも１つの歯牙基準色の色調を有する基準具Ｋとが同時に撮影されているものである必要がある。
この基準具Ｋとしては、例えば１つ又は複数の歯牙基準色を紙等に印刷した色見本のようなものや、歯牙基準色に対応する歯牙材料で作製した棒状のもののような少なくとも１つの歯牙基準色の色調を有するものであれば何でもよいが、歯牙を模写したような形状に形成された複数の疑似歯牙がそれぞれ別々の歯牙基準色に着色されているものを、歯牙基準色の色調を有する少なくとも１つ以上の疑似歯牙を基準具Ｋ（図３に示した例では２つ）として用いれば、基準具Ｋが歯牙を模写したような形状に形成されているから、撮影する際に基準具Ｋの好適な撮影位置を目視で判断し易く、また一般的に歯牙材料を製造するメーカではそれぞれの歯牙材料について歯牙を模写したような形状に形成されそれぞれの歯牙材料の歯牙基準色に着色された疑似歯牙としていわゆる歯科用シェードガイドと呼ばれるものも予め製作しているから、このような歯科用シェードガイドを基準具Ｋとして利用すれば、基準具Ｋを別途製作する手間を省くことができ、更に通常は歯科用シェードガイドには、そのセット内のそれぞれの疑似歯牙にそれぞれを識別するための記号等が附されているので、この記号をデータテーブルの識別情報データとして使用することもできて好ましい。
【００３１】
また基準具Ｋの歯牙基準色は、少なくとも１つであれば最終的に作製しようとする歯牙補綴物の歯牙又は隣在歯Ｓの色調と一致又は近似した歯牙基準色の識別情報データを得ることが可能であるが、作製しようとする歯牙補綴物の歯牙又は隣在歯Ｓの色調と一致又は近似した歯牙基準色の識別情報データをより高い精度で得るには、基準具Ｋの歯牙基準色と識別情報データ入力手段に入力される基準具Ｋの歯牙基準色の識別情報データとが多ければ多い程よいが、患者の口腔の大きさの制約、識別情報データを入力する手間やコンピュータの演算処理能力等の観点から、基準具Ｋの歯牙基準色は２つ〜３つであることが望ましい。
【００３２】
識別情報データ入力手段は、画像データ入力手段により入力される画像データに撮影された基準具Ｋの歯牙基準色の識別情報データを入力するものであり、基準具歯牙基準色データ抽出手段が画像データ内の基準具Ｋの歯牙基準色の識別情報データと一致する識別情報データを有する歯牙基準色の色調情報データを抽出する際に、その基準具Ｋの歯牙基準色の識別情報データがデータテーブル内のどの歯牙基準色の識別情報データであるかという情報を歯牙基準色データ抽出手段に提供する役目を果たす。
【００３３】
この識別情報データ入力手段に入力される基準具Ｋの歯牙基準色の識別情報データは、少なくとも１つの歯牙基準色の識別情報データであればよいが、前記したようにより高い精度の高い結果を得るためには、入力される歯牙基準色は２つ〜３つであることが望ましい。
【００３４】
そして、この識別情報データ入力手段に基準具Ｋの歯牙基準色の識別情報データを入力するには、画像データ入力手段により画像データを入力する際に画像データに撮影された基準具Ｋの歯牙基準色の識別情報データをキーボードやマウス等を用いてその都度入力してもよいが、識別情報データ入力手段に、画像データ入力手段により入力される画像データ内の基準具の少なくとも１つの歯牙基準色の識別情報データが予め入力されていれば、画像データに撮影される基準具Ｋの歯牙基準色の識別情報データを識別情報データ入力手段にその都度入力する手間が省けるばかりでなく、基準具Ｋの歯牙基準色の識別情報データの入力ミスにより誤った色調の歯牙補綴物を作製してしまうことがないと共に、いつも同じ基準具Ｋを使用することができて好ましい。
【００３５】
この識別情報データ入力手段に予め少なくとも１つの歯牙基準色の識別情報データが入力されている態様の場合には、予め使用する基準具Ｋの数やその歯牙基準色の識別情報データを入力すればよく、例えば図４に示すように常に使用する基準具Ｋの歯牙基準色の識別情報データの設定入力画面を設けてそれぞれの基準具Ｋの歯牙基準色の識別情報データを入力する。この図４では基準具Ｋの歯牙基準色の識別情報データが入力されると、基準具歯牙基準色データ抽出手段により基準具Ｋの歯牙基準色の識別情報データと一致する識別情報データを有する歯牙基準色の色調情報データが抽出されて表示されている。
【００３６】
画像歯牙データ分析手段は、画像データ入力手段により入力された画像データ内の作製しようとする歯牙補綴物の歯牙又は隣在歯Ｓの色調を分析し色調情報データとしてＬ＊ａ＊ｂ＊表色系により数値化するものであり、補正値算出手段によって算出された色調補正値に基づいて歯牙色調データ補正手段によって画像データ内の作製しようとする歯牙補綴物の歯牙又は隣在歯Ｓの色調の色調情報データが補正される際に、歯牙色調データ補正手段に画像データ内の作製しようとする歯牙補綴物の歯牙又は隣在歯Ｓの色調の色調情報データを提供する役目を果たす。この画像歯牙データ分析手段が画像データ内の作製しようとする歯牙補綴物の歯牙又は隣在歯Ｓの色調を分析する際には、例えば画像データ内の歯牙又は隣在歯Ｓの一部分の色調をスポット的に抽出しその範囲内における複数点の色調を分析し色調情報データとして数値化するものであってもよく、また図５に示す如く画像データ内の歯牙又は隣在歯Ｓの数十パーセントに及ぶ範囲の色調を一度に分析しその平均値を色調情報データとして数値化するものであってもよい。
【００３７】
この画像歯牙データ分析手段が画像データ内の作製しようとする歯牙補綴物の歯牙又は隣在歯Ｓの色調を分析し色調情報データとしてＬ＊ａ＊ｂ＊表色系により数値化する演算処理は、少なくとも歯牙色調データ補正手段が作製しようとする歯牙補綴物の歯牙又は隣在歯Ｓの色調の色調情報データを補正する演算処理を行う前までに行う必要があるが、歯牙色調データ補正手段が演算処理を行う前であれば、例えば画像歯牙データ分析手段による演算処理を行う画像基準具データ分析手段が画像データ内の基準具Ｋの色調を分析し色調情報データとしてＬ＊ａ＊ｂ＊表色系により数値化する演算処理と同時に行ってもよい。
【００３８】
画像基準具データ分析手段は、画像データ入力手段により入力された画像データ内の基準具Ｋの色調を分析し色調情報データとしてＬ＊ａ＊ｂ＊表色系により数値化するものであり、補正値算出手段が色調補正値を算出する際に、補正値算出手段に数値化された画像データ内の歯牙基準色の色調を有する基準具Ｋの色調の色調情報データを提供する役目を果たす。この画像基準具データ分析手段が画像データ内の基準具Ｋの色調を分析する際には、例えば画像データ内の基準具Ｋの色調をスポット的に抽出しその範囲内における複数点の色調を分析し色調情報データとして数値化するものであってもよく、また図５に示す如く画像データ内の基準具Ｋの数十パーセントに及ぶ範囲の色調を一度に分析しその平均値を色調情報データとして数値化するものであってもよい。
【００３９】
この画像基準具データ分析手段及び画像歯牙データ分析手段により分析され数値化される色調情報データは、歯牙基準色データ記憶手段に予め記憶されたデータテーブルの色調情報データと同じＬ＊ａ＊ｂ＊表色系に基づいたデータであることが必要である。
【００４０】
基準具歯牙基準色データ抽出手段は、歯牙基準色データ記憶手段に記憶されたデータテーブルから識別情報データ入力手段により入力された基準具Ｋの歯牙基準色の識別情報データと一致する識別情報データを有する歯牙基準色の色調情報データを抽出するものであり、補正値算出手段が色調補正値を算出する際に、補正値算出手段に基準具Ｋの歯牙基準色の識別情報データと一致する識別情報データを有する歯牙基準色の色調情報データを提供する役目を果たす。
【００４１】
この基準具歯牙基準色データ抽出手段は歯牙基準色データ記憶手段と協働して、識別情報データ入力手段により入力された基準具Ｋの歯牙基準色の識別情報データを基に、その識別情報データと一致する識別情報データをデータテーブルへ照合し、その識別情報データと一致した歯牙基準色の色調情報データをデータテーブルから抽出するものであり、例えばデータテーブルが英数字の文字列より成る識別情報データとその識別情報データと対応した歯牙基準色をＬ＊ａ＊ｂ＊表色系により数値化した色調情報データとから構成されており、歯牙基準色の色調情報データの英数字の文字列と，歯牙基準色をＬ＊ａ＊ｂ＊表色系により数値化したそれぞれのＬ＊値，ａ＊値及びｂ＊値とがそれぞれ一覧表の如く対応した状態にデータテーブルが形成されている場合には、基準具歯牙基準色データ抽出手段は識別情報データ入力手段により入力された基準具Ｋの歯牙基準色の識別情報データの文字列と一致した文字列を有する歯牙基準色の色調情報データを照合し、データテーブルからその一致した文字列を有する歯牙基準色の色調情報データのそれぞれのＬ＊値，ａ＊値及びｂ＊値を抽出する。
【００４２】
補正値算出手段は、画像基準具データ分析手段により数値化された基準具Ｋの色調の色調情報データと、基準具歯牙基準色データ抽出手段により抽出された歯牙基準色の色調情報データとを略一致させるための色調補正値として両色調情報データのＬ＊値，ａ＊値，ｂ＊値同士の差を表すδＬ＊値，δａ＊値，δｂ＊値を算出するものであり、歯牙色調データ補正手段が画像歯牙データ分析手段により数値化された作製しようとする歯牙補綴物の歯牙又は隣在歯Ｓの色調の色調情報データを補正する際に、歯牙色調データ補正手段に色調補正値を提供する役目を果たす。
【００４３】
この補正値算出手段によって色調補正値を算出する処理については、画像基準具データ分析手段により数値化された歯牙基準色の色調を有する基準具Ｋの色調の色調情報データのＬ＊値，ａ＊値，ｂ＊値と、基準具歯牙基準色データ抽出手段により抽出された歯牙基準色の色調情報データのＬ＊値，ａ＊値，ｂ＊値との差を表すδＬ＊値，δａ＊値，δｂ＊値を算出して、これらの値を色調補正値とするものであり、具体的には例えば画像基準具データ分析手段により数値化された基準具Ｋの歯牙基準色の色調の色調情報データの数値がそれぞれＬ＊＝77.08，ａ＊＝1.71，ｂ＊＝8.92であって、基準具歯牙基準色データ抽出手段により抽出された歯牙基準色の色調情報データの数値がそれぞれＬ＊＝76.15，ａ＊＝1.50，ｂ＊＝9.00である場合には、色調補正値はそれぞれの数値の差であるδＬ＊＝0.93，δａ＊＝0.21，δｂ＊＝-0.08となる。
【００４４】
そして、識別情報データ入力手段によって入力される画像データに撮影された基準具Ｋの歯牙基準色の識別情報データが２つ以上ある場合には、この補正値算出手段によりそれぞれの基準具Ｋの歯牙基準色の色調の色調情報データについて、歯牙基準色の色調情報データの数値との差を表すδＬ＊値，δａ＊値，δｂ＊値を算出して、算出されたそれぞれのδＬ＊値，δａ＊値，δｂ＊値の平均値を色調補正値として算出すれば、より正確な色調補正値を得ることができて好ましい。
【００４５】
歯牙色調データ補正手段は、補正値算出手段により算出された色調補正値に基づいて画像歯牙データ分析手段により数値化された作製しようとする歯牙補綴物の歯牙又は隣在歯Ｓの色調の色調情報データを補正するものであり、歯牙色調基準色データ抽出手段が歯牙基準色データ記憶手段に記憶されたデータテーブルから補正された作製しようとする歯牙補綴物の歯牙又は隣在歯Ｓの色調の色調情報データと一致又は近似した色調情報データを有する少なくとも１つの歯牙基準色を抽出する際に、歯牙色調基準色データ抽出手段に補正された正確な作製しようとする歯牙補綴物の歯牙又は隣在歯Ｓの色調の色調情報データを提供する役目を果たす。
【００４６】
この歯牙色調データ補正手段によって作製しようとする歯牙補綴物の歯牙又は隣在歯Ｓの色調の色調情報データを補正する処理は、補正値算出手段により算出された色調補正値であるδＬ＊値，δａ＊値，δｂ＊値を画像歯牙データ分析手段により数値化された作製しようとする歯牙補綴物の歯牙又は隣在歯Ｓの色調の色調情報データのＬ＊値，ａ＊値，ｂ＊値から減算することにより補正すれば、正確な作製しようとする歯牙補綴物の歯牙又は隣在歯Ｓの色調の色調情報データを得ることができる。具体的には例えば、画像歯牙データ分析手段により数値化された作製しようとする歯牙補綴物の歯牙又は隣在歯Ｓの色調の色調情報データの数値がそれぞれＬ＊＝77.99，ａ＊＝3.41，ｂ＊＝11.92であって、色調補正値がそれぞれδＬ＊＝0.93，δａ＊＝0.21，δｂ＊＝-0.08である場合には、この色調補正値により補正された正確な作製しようとする歯牙補綴物の歯牙又は隣在歯Ｓの色調の色調情報データの数値はそれぞれＬ＊＝77.06，ａ＊＝3.20，ｂ＊＝12.00となる。
【００４７】
歯牙色調基準色データ抽出手段は、歯牙色調データ補正手段により補正された作製しようとする歯牙補綴物の歯牙又は隣在歯の色調の色調情報データのＬ＊値，ａ＊値，ｂ＊値を基に、歯牙基準色データ記憶手段に記憶されたデータテーブル内の総ての歯牙基準色の色調情報データのそれぞれのＬ＊値，ａ＊値，ｂ＊値の数値について、補正された作製しようとする歯牙補綴物の歯牙又は隣在歯の色調の色調情報データのＬ＊値，ａ＊値，ｂ＊値との差を表すそれぞれのΔＬ＊値，Δａ＊値，Δｂ＊値を算出して下記の数式４に代入し、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出することにより、データテーブルから補正された作製しようとする歯牙補綴物の歯牙又は隣在歯Ｓの色調の色調情報データと一致又は近似した色調情報データを有する少なくとも１つの歯牙基準色の色調情報データを抽出するものであり、歯牙基準色識別情報データ出力手段が作製しようとする歯牙補綴物の歯牙又は隣在歯Ｓの色調と一致又は近似した歯牙基準色の識別情報データを出力する際に、歯牙基準色識別情報データ出力手段に補正された作製しようとする歯牙補綴物の歯牙又は隣在歯Ｓの色調の色調情報データと一致又は近似した色調情報データを有する少なくとも１つの歯牙基準色の色調情報データを提供する役目を果たす。
【数４】
0003710802.tif 000005
【００４８】
この歯牙色調基準色データ抽出手段が歯牙基準色データ記憶手段に記憶されたデータテーブルから歯牙色調データ補正手段により補正された作製しようとする歯牙補綴物の歯牙又は隣在歯Ｓの色調の色調情報データと一致又は近似した色調情報データを有する少なくとも１つの歯牙基準色の色調情報データを抽出する処理としては、先ず補正された作製しようとする歯牙補綴物の歯牙又は隣在歯Ｓの色調の色調情報データのＬ＊値，ａ＊値，ｂ＊値を基に、データテーブル内の総ての歯牙基準色の色調情報データのそれぞれのＬ＊値，ａ＊値，ｂ＊値の数値について、補正された作製しようとする歯牙補綴物の歯牙又は隣在歯Ｓの色調の色調情報データのＬ＊値，ａ＊値，ｂ＊値との差を表すそれぞれのΔＬ＊値，Δａ＊値，Δｂ＊値を算出する。
【００４９】
次に、算出されたデータテーブル内のそれぞれの歯牙基準色の色調情報データのΔＬ＊値，Δａ＊値，Δｂ＊値に基づいて、データテーブル内の総ての歯牙基準色の色調情報データについて、作製しようとする歯牙補綴物の歯牙又は隣在歯Ｓの色調の色調情報データとの色調の違いのズレ量を表すΔＥを算出する。この色調の違いのズレ量を表すΔＥを算出する方法としては、算出されたΔＬ＊値，Δａ＊値，Δｂ＊値を下記の数式５に代入して算出する。
【００５０】
【数５】
0003710802.tif 000006
【００５１】
最後に、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出することにより、歯牙基準色データ記憶手段に記憶されたデータテーブルから歯牙色調データ補正手段により補正された作製しようとする歯牙補綴物の歯牙又は隣在歯Ｓの色調の色調情報データと一致又は近似した色調情報データを有する少なくとも１つの歯牙基準色の色調情報データを抽出する処理ができる。
【００５２】
歯牙基準色識別情報データ出力手段は、歯牙色調基準色データ抽出手段により抽出された作製しようとする歯牙補綴物の歯牙又は隣在歯Ｓの色調と一致又は近似した歯牙基準色の識別情報データを出力するものであり、一連の手段による処理の最終結果である補正された作製しようとする歯牙補綴物の歯牙又は隣在歯Ｓの色調と一致又は近似した歯牙基準色の識別情報データを出力する役目を果たす。
【００５３】
この歯牙基準色識別情報データ出力手段によって出力される歯牙色調基準色データ抽出手段により抽出された作製しようとする歯牙補綴物の歯牙又は隣在歯Ｓの色調と一致又は近似した歯牙基準色の識別情報データは、例えばコンピュータに別途接続されたプリンタによって紙に印刷されて出力されたり、図６に示す如くディスプレー上に表示されて出力されたりしてもよい。
【００５４】
このような構成の本発明に係る歯牙材料色調選択支援プログラムにおいて、コンピュータを更に、補正値算出手段により算出された色調補正値に基づいて画像データ入力手段により入力された画像データ全体の色調を補正する画像データ補正手段、この画像データ補正手段により補正された画像データを出力する補正画像データ出力手段、として更に機能させれば、入力された画像データ全体が色調補正値に基づいて補正された画像データを得ることができるばかりでなく、正確に再現された画像データを歯科技工士が目視によって確認できるので、好適な色調の歯牙材料の選択決定のミスを殆ど防ぐことができて好ましい。
【００５５】
この画像データ補正手段は、画像データ全体のそれぞれのドットの色調を分析して、画像データ全体のドットのＬ＊値，ａ＊値，ｂ＊値を算出して、その算出された画像データ全体のそれぞれのドットのＬ＊値，ａ＊値，ｂ＊値に、補正値算出手段により算出された色調補正値のδＬ＊値，δａ＊値，δｂ＊値を減算して、画像データ全体の色調を補正する。
【００５６】
そして、補正画像データ出力手段によって出力される画像データ補正手段により補正された画像データは、例えばコンピュータに別途接続されたプリンタによって紙に印刷されて出力されたり、ディスプレー上に表示されて出力されたり、または画像データのファイルとしてハードディスクドライブ等のコンピュータの記憶部に出力し、そのファイルをＬＡＮやインターネットのメールを用いて別のコンピュータに送信したりしてもよい。
【００５７】
次に、このような構成の本発明に係る歯牙材料色調選択支援プログラムの使用方法及び歯牙材料色調選択支援方法について説明する。
初めに準備として、ハードディスクドライブ等のコンピュータの記憶部に、歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルを記憶させる操作を行う。
【００５８】
この操作は、通常は歯牙材料色調選択支援プログラムをコンピュータにインストールする際に、インストールプログラムによって自動的にデータテーブルもコンピュータの記憶部に記憶されるが、データテーブルが単なる一覧表の如きデータファイルに格納されている場合には、そのデータテーブルが格納されているデータファイルを手動でコンピュータの記憶部に記憶させてもよい。
【００５９】
このような準備が完了した後に、図２のフローチャートに示すような一連の処理を行う。先ず、最初の処理として作製しようとする歯牙補綴物の歯牙又は隣在歯Ｓと、少なくとも１つの歯牙基準色の色調を有する基準具Ｋとが同時に撮影されている画像データを入力する処理を行うと共に、その画像データに撮影された基準具Ｋの歯牙基準色の識別情報データを入力する処理を行う。
【００６０】
この画像データの入力処理は、画像データをＵＳＢやＩＥＥＥ１３９４等のインターフェイスを用いてデジタルカメラとコンピュータとをケーブルで繋いで、デジタルカメラ内のメモリ等に記憶された画像データを転送してコンピュータに入力したり、画像データが記憶されたデジタルカメラ内のメモリカード等をデジタルカメラから脱着してそのメモリカード等をコンピュータのインターフェイスに差し込んで画像データを転送してコンピュータに入力したり、他のコンピュータ内に記憶された画像データのファイルをＬＡＮやインターネットのメールを用いて転送してコンピュータに入力したり、または銀塩カメラで撮影された写真をコンピュータに接続されたスキャナで読み込んで画像データに変換してその画像データをコンピュータに入力したりすることによって行う。
【００６１】
この画像データの入力処理によって入力される画像データとしては、８ビットや１６ビットの色情報を持たせる方式のものを用いることもできるが、表現できる色の数が多い２４ビットや３２ビットの色情報を持たせる方式のものを用いることが望ましく、また画像データの画像形式としては、例えばＪＰＧＥ形式、Ｂｉｔｍａｐ形式やＴＩＦＦ形式等の画像を点の集まりとして記憶する画像形式を用いることができる。
【００６２】
また、基準具Ｋの歯牙基準色の識別情報データの入力処理は、例えば図４に示すようなディスプレーに表示された基準具Ｋの歯牙基準色の設定入力画面によりキーボートやマウス等のコンピュータの入力部を用いて行う。この設定入力画面では、先ずマウスを用いてプルダウンをクリックして所望の基準具Ｋの歯牙基準色の色の数を選択し、次に設定入力した基準具Ｋの歯牙基準色の色の数の分だけ、マウスを用いてプルダウンをクリックしてそれぞれの所望の歯牙基準色の識別情報データを選択することにより、基準具Ｋの歯牙基準色の識別情報データの設定入力を行う。
【００６３】
この基準具Ｋの歯牙基準色の識別情報データの入力処理は、画像データの入力処理を行う際にその都度行ってもよいが、予め基準具Ｋの歯牙基準色の識別情報データの入力処理を行っておけば、その都度入力処理する手間が省けるばかりでなく、基準具Ｋの歯牙基準色の識別情報データの入力処理ミスにより誤った色調の歯牙補綴物を作製してしまうことがないと共に、いつも同じ基準具を使用することができて好ましい。
【００６４】
次に、画像データ内の作製しようとする歯牙補綴物の歯牙又は隣在歯Ｓの色調と画像データ内の歯牙基準色の色調を有する基準具Ｋの色調とをそれぞれ分析し色調情報データとしてＬ＊ａ＊ｂ＊表色系により数値化させる処理を行う。この数値化処理は、画像データ内の作製しようとする歯牙補綴物の歯牙又は隣在歯Ｓの領域と画像データ内の歯牙基準色の基準具Ｋの領域とを自動的に認識し、それぞれの領域の色調を分析して、作製しようとする歯牙補綴物の歯牙又は隣在歯Ｓの色調と基準具Ｋの色調とを色調情報データとして数値化するようにして行ってもよく、また図３に示すような作製しようとする歯牙補綴物の歯牙又は隣在歯Ｓと歯牙基準色の色調を有する基準具Ｋとが同時に撮影されている画像データ内で、マウスを用いて個別に手動によりそれぞれの画像データ内の作製しようとする歯牙補綴物の歯牙又は隣在歯Ｓの領域と画像データ内の基準具Ｋの領域とを設定して、それぞれの領域の色調を分析して、歯牙補綴物の作製対象の歯牙Ｓの色調と歯牙基準色が着色された基準具Ｋの色調とを色調情報データとして数値化するようにして行ってもよい。
【００６５】
この数値化処理において、画像データ内の作製しようとする歯牙補綴物の歯牙又は隣在歯Ｓの色調を分析し色調情報データとしてＬ＊ａ＊ｂ＊表色系により数値化させる処理と、画像データ内の基準具Ｋの色調を分析し色調情報データとしてＬ＊ａ＊ｂ＊表色系により数値化させる処理とを同時に行っても個別に行ってもよいが、画像データ内の作製しようとする歯牙補綴物の歯牙又は隣在歯Ｓの色調を分析し色調情報データとしてＬ＊ａ＊ｂ＊表色系により数値化させる処理は、少なくとも色調補正値に基づいて作製しようとする歯牙補綴物の歯牙又は隣在歯Ｓの色調の色調情報データを補正する処理を行う前までには完了させておく必要があり、一方画像データ内の基準具Ｋの色調を分析し色調情報データとしてＬ＊ａ＊ｂ＊表色系により数値化させる処理は、基準具Ｋの色調を有する歯牙基準色の色調情報データと抽出された歯牙基準色の色調情報データとを略一致させるための色調補正値を算出する処理を行う前までには完了させておく必要がある。
【００６６】
次いで、データテーブルから入力された基準具Ｋの色調を有する歯牙基準色の識別情報データと一致した識別情報データを有する歯牙基準色の色調情報データを抽出させる処理を行う。この抽出処理は、画像データに撮影された基準具Ｋの歯牙基準色の識別情報データを入力する処理によって入力された画像データに撮影された基準具Ｋの歯牙基準色の識別情報データに基づいて、コンピュータの記憶部に予め記憶させた歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルから、基準具Ｋの歯牙基準色の識別情報データと一致した識別情報データを有する歯牙基準色の色調情報データを抽出させるものである。
【００６７】
次いで、基準具Ｋの歯牙基準色の色調情報データと抽出された歯牙基準色の色調情報データとを略一致させるための色調補正値を算出する処理を行う。この算出処理は、画像データ内の基準具Ｋの色調を分析し色調情報データとして数値化させる処理によって数値化された基準具Ｋの歯牙基準色の色調情報データと、データテーブルから入力された基準具Ｋの歯牙基準色の識別情報データと一致した識別情報データを有する歯牙基準色の色調情報データを抽出させる処理によって抽出された歯牙基準色の色調情報データとを略一致させるための色調補正値として両色調情報データのＬ＊値，ａ＊値，ｂ＊値同士の差を表すδＬ＊値，δａ＊値，δｂ＊値を算出するものである。
【００６８】
この算出処理によって算出された色調補正値は、作製しようとする歯牙補綴物の歯牙又は隣在歯Ｓの色調の色調情報データを補正する処理により正確な色調に補正された作製しようとする歯牙補綴物の歯牙又は隣在歯Ｓの色調の色調情報データを得る際に使用されるものであるだけでなく、画像データ全体の色調を補正して正確な色調の画像データを得る際に使用することもできる。
【００６９】
次いで、算出された色調補正値に基づいて作製しようとする歯牙補綴物の歯牙又は隣在歯Ｓの色調の色調情報データを補正する処理を行う。この補正処理は、色調補正値を算出する処理によって算出された色調補正値であるδＬ＊値，δａ＊値，δｂ＊値を、画像データ内の作製しようとする歯牙補綴物の歯牙又は隣在歯Ｓの色調を分析し色調情報データとしてＬ＊ａ＊ｂ＊表色系により数値化させる処理によって数値化された画像データ内の作製しようとする歯牙補綴物の歯牙又は隣在歯ＳのＬ＊値，ａ＊値，ｂ＊値から減算して色調を補正して、正確な作製しようとする歯牙補綴物の歯牙又は隣在歯Ｓの色調を得るための処理である。
【００７０】
次いで、データテーブルから補正された作製しようとする歯牙補綴物の歯牙又は隣在歯Ｓの色調の色調情報データと一致又は近似した色調情報データの数値を有する少なくとも１つの歯牙基準色の識別情報データを抽出する処理を行う。この抽出処理は、コンピュータの記憶部に予め記憶させた歯牙材料の色調の基準となる複数の歯牙基準色をそれぞれ識別するために割り当てられる識別情報データと、その歯牙基準色の色調をＬ＊ａ＊ｂ＊表色系により数値化した色調情報データとが対応させられているデータテーブルから、算出された色調補正値に基づいて作製しようとする歯牙補綴物の歯牙又は隣在歯Ｓの色調の色調情報データを補正する処理によって補正された正確な作製しようとする歯牙補綴物の歯牙又は隣在歯Ｓの色調の色調情報データと一致又は近似した色調情報データの数値を有する少なくとも１つの歯牙基準色の識別情報データを抽出するものである。
この補正された正確な作製しようとする歯牙補綴物の歯牙又は隣在歯Ｓの色調の色調情報データと一致又は近似した色調情報データの数値を有する少なくとも１つの歯牙基準色の識別情報データの抽出方法としては、補正された作製しようとする歯牙補綴物の歯牙又は隣在歯Ｓの色調の色調情報データはＬ＊ａ＊ｂ＊表色系に基づいたものであるので、下記の数式６に基づいてズレ量を表すΔＥを算出し、算出されたデータテーブル内の総ての歯牙基準色の色調情報データのΔＥの数値の中で、ゼロ又は最もゼロに近いΔＥの数値を有する少なくとも１つの歯牙基準色の識別情報データを抽出するのである。
【数６】
0003710802.tif 000007
【００７１】
最後に、抽出された歯牙基準色の識別情報データを出力する処理を行う。この出力処理は、データテーブルから補正された作製しようとする歯牙補綴物の歯牙又は隣在歯Ｓの色調の色調情報データと一致又は近似した色調情報データの数値を有する少なくとも１つの歯牙基準色の識別情報データを抽出する処理によって抽出された歯牙基準色の識別情報データを出力するものである。
【００７２】
この出力処理によって得られる出力結果は、例えばコンピュータに別途接続されたプリンタによって紙に印刷されて出力されたり、図６に示すようにディスプレー上に表示されて出力されたりしてもよく、また図６に示すような表示画面である場合には、画面の下方に位置する「結果の保存」のボタンをマウス等でクリックすることにより、その画面に表示された出力結果をデータファイルとしてハードディスク等のコンピュータの記憶部に記憶させて保存することができ、またそのコンピュータの記憶部に保存された出力結果のデータファイルをフレキシブルディスク等のリムーバブルディスクに複製したり、インターネットのメールの添付ファイルとして添付したりすることによって、出力結果を歯科技工士に送ることができる。また、出力結果は２次元や３次元の色調マップを用いて色調情報データを表示するとより判り易いので好ましい。
【図面の簡単な説明】
【００７３】
【図１】本発明に係る歯牙材料色調選択支援プログラムの構成の１実施例を示すブロック図である。
【図２】本発明に係る歯牙材料色調選択支援プログラムの１実施例の動作概要を示すフローチャートである。
【図３】本発明に使用される画像データの１例を示す説明図である。
【図４】本発明における基準具の歯牙基準色の設定入力画面の１例を示す説明図である。
【図５】本発明における作製しようとする歯牙補綴物の歯牙又は隣在歯及び基準具の歯牙基準色の領域選択設定画面の１例を示す説明図である。
【図６】本発明における作製しようとする歯牙補綴物の歯牙又は隣在歯の色調と一致又は近似した歯牙基準色の識別情報データを出力する結果表示画面の１例を示す説明図である。
【符号の説明】
【００７４】
Ｓ  作製しようとする歯牙補綴物の歯牙又は隣在歯
Ｋ  基準具
【図１】
0003710802.tif 000010
【図２】
0003710802.tif 000011
【図３】
0003710802.tif 000012
【図４】
0003710802.tif 000013
【図５】
0003710802.tif 000014
【図６】
0003710802.tif 000015